(57)【要約】      （修正有）【課題】内視鏡のコネクタと接続するように構成された内視鏡用プロセッサにおいて、コネクタをプロセッサに接続する際のシャッターの開閉操作とコネクタをプロセッサ側の接続端子に誘導する誘導機構の誘導操作の操作性を向上する。【解決手段】内視鏡用プロセッサは、内視鏡側のコネクタの第１接続端子を受け入れて、内視鏡用プロセッサ側の第２接続端子と接続するためのコネクタ挿入用凹部空間が設けられたコネクタ受け部を備える。コネクタ受け部は、コネクタ挿入用凹部空間の差込口を開閉可能に動作するように構成されたシャッター３０と、コネクタ挿入用凹部空間に挿入された第１接続端子を第２接続端子に接続させるために、コネクタを誘導するように構成された誘導機構と、シャッターの開放動作及び誘導機構の誘導動作を操作する１つの操作レバー２９とを備える。【選択図】図４
2019058309.tif 000002
【特許請求の範囲】
【請求項１】
内視鏡のコネクタと接続するように構成された内視鏡用プロセッサであって、
前記内視鏡側のコネクタの第１接続端子を受け入れて、前記内視鏡用プロセッサ側の第２接続端子と接続するためのコネクタ挿入用凹部空間が設けられたコネクタ受け部を備え、
前記コネクタ受け部は、
前記コネクタ挿入用凹部空間の差込口を開閉可能に動作するように構成されたシャッターと、
前記コネクタ挿入用凹部空間に挿入された前記コネクタの前記第１接続端子を前記第２接続端子に接続させるために、前記コネクタを誘導するように構成された誘導機構と、
前記シャッターの開放動作及び前記誘導機構の誘導動作を操作する１つの操作レバーと、
を備えることを特徴とする内視鏡用プロセッサ。
【請求項２】
前記誘導機構は、前記誘導機構が前記コネクタの誘導のための前記コネクタの係止あるいは前記係止の解除を行う第１の位置と、前記コネクタの前記プロセッサとの接続を完了する第２の位置との間を、前記コネクタを移動させるように構成され、
前記操作レバーには、前記シャッターの開放と前記コネクタの位置を定めるための前記操作レバーの位置として、前記コネクタが前記第１の位置に位置するように、前記誘導機構を位置させる第１対応位置と、前記コネクタが前記第２の位置に位置するように、前記誘導機構を位置させる第２対応位置、及び、前記シャッターを開放状態にする開放位置と、が設けられており、
前記第１対応位置は、前記開放位置と同じ位置であり、前記第２対応位置と異なる位置である、請求項１に記載の内視鏡用プロセッサ。
【請求項３】
前記シャッターは、前記差込口を横断する方向にスライドする構成を備える、請求項１または２に記載の内視鏡用プロセッサ。
【請求項４】
前記シャッターは、前記差込口を閉塞する方向に前記シャッターを付勢する付勢部材に連結されている、請求項１〜３のいずれか１項に記載の内視鏡用プロセッサ。
【請求項５】
前記操作レバーは、前記操作レバーの移動に伴って移動する、突起を備える部材に設けられ、
前記操作レバーは、前記操作レバーの移動によって移動する前記突起が前記シャッターの一部と当接して前記シャッターを開放させるように移動させる、請求項４に記載の内視鏡用プロセッサ。
【請求項６】
前記コネクタ受け部を、第１コネクタ受け部というとき、
さらに、内視鏡側のコネクタの第３接続端子を受け入れて、前記内視鏡用プロセッサ側の第２接続端子と接続するための第２コネクタ受け部を備える、請求項４または５に記載の内視鏡用プロセッサ。
【請求項７】
請求項１〜６のいずれか１項に記載の内視鏡用プロセッサと、
前記コネクタ受け部に装着可能なコネクタを備える内視鏡と、を備えることを特徴とする内視鏡システム。
【発明の詳細な説明】
【技術分野】
【０００１】
本発明は、内視鏡のコネクタと接続するように構成された内視鏡用プロセッサ及び内視鏡システムに関する。
【背景技術】
【０００２】
人体内部の生体組織の観察や治療に内視鏡システムが使用されている。内視鏡システムは、生体組織を撮像素子で撮像して撮像画像を内視鏡用プロセッサ（以降、単にプロセッサという）に伝送する内視鏡と、撮像画像の信号を信号処理して表示用画像を作成するプロセッサを備える。内視鏡には、プロセッサと接続するためのコネクタが設けられている。一方、プロセッサは、内視鏡側のコネクタの電気接続端子を受け入れて、プロセッサ側の電気接続端子と接続するためのコネクタ挿入用凹部空間が設けられたコネクタ受け部を備える。
【０００３】
例えば、使用していないコネクタ受け部の差込口を確実に閉塞してコネクタ受け部の内部への水分等の浸入を防止し、電気的な安全性等が確保されるようにする電子内視鏡装置が知られている（特許文献１）。
【先行技術文献】
【特許文献】
【０００４】
【特許文献１】特開２００８−２２９２０４号公報
【発明の概要】
【発明が解決しようとする課題】
【０００５】
上記電子内視鏡装置では、コネクタ受け部を露出状態と閉塞状態に設定する可動遮蔽体を有し、使用する電子スコープのコネクタに対応したコネクタ受け部を可動遮蔽体により露出させたとき、他のコネクタ受け部を閉塞するように動作するコネクタ受け部開閉機構を設けている。この可動遮蔽体により、使用していないコネクタ受け部の差込口を確実に閉塞してコネクタ受け部の内部への水分等の浸入を防止し、電気的な安全性等が確保することができる、とされている。
【０００６】
上記電子内視鏡装置では、複数のコネクタ受け部を有する装置構成を対象としているが、１つのコネクタ受け部しか設けられていない構成のプロセッサにおいて上記効果（コネクタ受け部の内部への水分等の浸入を防止し、電気的な安全性等が確保すること）を達成することは難しい。例えば、コネクタ受け部の差込口を可動遮蔽体で塞ぎ損ねた場合、使用開始前のコネクタ受け部に水分が浸入する場合があり、電気的な安全性が確保できない場合もある。また、コネクタ受け部を使用しないにも拘らず、差込口が閉塞された状態でプロセッサが保管された場合、コネクタ受け部内の電気接続端子に塵や埃等の微粒子が付着して、電気的接続に障害を与える場合もある。
このように、複数のコネクタ受け部を有する装置構成の他、１つのコネクタ受け部しか有さない装置構成のプロセッサにおいて、使用しないコネクタ受け部の差込口を閉塞するシャッターを設けることが望まれる。
一方、コネクタとプロセッサの電気的接続を確実に行うために、プロセッサのコネクタ受け部の凹部空間の所定の位置に挿入されたコネクタの先端部を、さらにプロセッサ側の電気接続端子が設けられている凹部空間の奥側の部分に向けて誘導して確実に電気接続端子を接続させる誘導機構を備える場合もある。コネクタの先端部には、コネクタ側の電気接続端子が設けられている。この場合、コネクタをプロセッサに接続するとき、コネクタの先端部を誘導する誘導機構の操作とシャッターの開閉操作を同時に行う必要があり、操作が煩雑になり易い。特に、術者がコネクタをプロセッサに接続する時、一方の手に内視鏡装置の操作部を握り、他方の手にコネクタを握る場合が多いので、接続時の操作性は簡単であること、すなわち操作性が優れていることが好ましい。
【０００７】
そこで、本発明は、内視鏡のコネクタと接続するように構成された内視鏡用プロセッサにおいて、コネクタをプロセッサに接続する際のシャッターの開閉操作とコネクタをプロセッサ側の接続端子に誘導する誘導機構の誘導操作の操作性を向上させることができる内視鏡用プロセッサ及び内視鏡システムを提供することを目的とする。
【課題を解決するための手段】
【０００８】
本発明の一態様は、内視鏡のコネクタと接続するように構成された内視鏡用プロセッサである。
前記内視鏡用プロセッサは、前記内視鏡側のコネクタの第１接続端子を受け入れて、前記内視鏡用プロセッサ側の第２接続端子と接続するためのコネクタ挿入用凹部空間が設けられたコネクタ受け部を備える。
前記コネクタ受け部は、
前記コネクタ挿入用凹部空間の差込口を開閉可能に動作するように構成されたシャッターと、
前記コネクタ挿入用凹部空間に挿入された前記コネクタの前記第１接続端子を前記第２接続端子に接続させるために、前記コネクタを誘導するように構成された誘導機構と、
前記シャッターの開放動作及び前記誘導機構の誘導動作を操作する１つの操作レバーと、
を備える。
【０００９】
前記誘導機構は、前記誘導機構が前記コネクタの誘導のための前記コネクタの係止あるいは前記係止の解除を行う第１の位置と、前記コネクタの前記プロセッサとの接続を完了する第２の位置との間を、前記コネクタを移動させるように構成され、
前記操作レバーには、前記シャッターの開放と前記コネクタの位置を定めるための前記操作レバーの位置として、前記コネクタが前記第１の位置に位置するように、前記誘導機構を位置させる第１対応位置と、前記コネクタが前記第２の位置に位置するように、前記誘導機構を位置させる第２対応位置、及び、前記シャッターを開放状態にする開放位置と、が設けられており、
前記第１対応位置は、前記開放位置と同じ位置であり、前記第２対応位置と異なる位置である、ことが好ましい。
【００１０】
前記シャッターは、前記差込口を横断する方向にスライドする構成を備える、ことが好ましい。
【００１１】
前記シャッターは、前記差込口を閉塞する方向に前記シャッターを付勢する付勢部材に連結されている、ことが好ましい。
【００１２】
前記操作レバーは、前記操作レバーの移動に伴って移動する、突起を備える部材に設けられ、
前記操作レバーは、前記操作レバーの移動によって移動する前記突起が前記シャッターの一部と当接して前記シャッターを開放させるように移動させる、ことが好ましい。
【００１３】
前記コネクタ受け部を、第１コネクタ受け部というとき、
さらに、内視鏡側のコネクタの第３接続端子を受け入れて、前記内視鏡用プロセッサ側の第２接続端子と接続するための第２コネクタ受け部を備える、ことが好ましい。
【００１４】
さらに、本発明の他に一態様は、前記内視鏡用プロセッサと、前記コネクタ受け部に装着可能なコネクタを備える内視鏡と、を備えることを特徴とする内視鏡システムである。
【発明の効果】
【００１５】
上述の内視鏡用プロセッサ及び内視鏡システムによれば、コネクタをプロセッサに接続する際のシャッターの開閉操作とコネクタをプロセッサ側の接続端子に誘導する誘導機構の誘導操作の操作性が向上する。
【図面の簡単な説明】
【００１６】
【図１】一実施形態の医療用の内視鏡の外観斜視図である。
【図２】一実施形態のコネクタとプロセッサの一例を拡大して示す斜視図である。
【図３】一実施形態の誘導機構の一例を模式的に示す図である。
【図４】一実施形態の操作レバーとシャッターの構成の一例を説明する図である。
【図５】（ａ），（ｂ）は、一実施形態のシャッターが差込口を閉塞させた状態の例を模式的に示す図である。
【図６】（ａ），（ｂ）は、一実施形態のシャッターが差込口を開放させた状態の例を模式的に示す図である。
【発明を実施するための形態】
【００１７】
以下、図面を参照して本発明の実施形態について説明する。図１は、一実施形態の医療用の電子内視鏡（以降、単に内視鏡という）の外観斜視図である。以下の説明中の前後方向は、内視鏡の可撓管１の先端側を「前方」、ユニバーサルチューブ６の先端側（コネクタ部７側）を「後方」と定義している。
【００１８】
医療用の内視鏡は、操作部３と、操作部３から前方に延びかつ可撓性を有する可撓管１と、可撓管１の前方に連結部１０を介して連結された湾曲管２と、操作部３から後方に延びるユニバーサルチューブ６と、ユニバーサルチューブ６の後端に固定したコネクタ７と、を備える。操作部３、可撓管１及び湾曲管２内には、複数の湾曲操作ワイヤが挿通され、各湾曲操作ワイヤは、先端部が先端部５の後端に連結され、後端が、湾曲操作ワイヤを介して操作部３の湾曲操作レバー４（湾曲操作機構）に連結されている。湾曲管２は、湾曲操作レバー４の操作に応じて任意の方向に任意の角度だけ湾曲する。
【００１９】
湾曲管２の先端部には、先端部５が設けられている。先端部５は実質的に弾性変形不能な硬質樹脂材料によって構成されており、先端部５の平面からなる先端面には対物レンズ（観察レンズ）を備える開口、照明レンズが設けられている出射口、送気・送水口、鉗子口等が設けられている。
【００２０】
操作部３、可撓管１、湾曲管２、ユニバーサルチューブ６及びコネクタ７の内部には、その前端が照明レンズに接続するライトガイドファイバ（図示略）が設けられている。さらに先端部５の内部には対物レンズの直後に位置する撮像素子（図示略）が設けられている。
可撓管１、湾曲管２、先端部５、及び連結部１０は、体腔内に挿入される挿入部１２を形成する。先端部に設けられた撮像素子から延びる画像信号用ケーブルは、湾曲管２、可撓管１、操作部３及びユニバーサルチューブ６の内部を通ってコネクタ７の内部まで延びている。コネクタ７は、内視鏡用プロセッサ（以降、単にプロセッサという）２０に接続される。プロセッサ２０は、撮像素子から送られてくる画像信号を処理して、撮像素子で撮像した被写体の画像をモニタ（図示略）に表示するように制御している。プロセッサ２０は、生体組織を照明する照明光となる光を出射する図示されない光源装置を備える。光源装置から出射される光は、コネクタ７を経由して、先端部５までＬＣＢ（Light Carrying Bundle）ケーブル内を伝送される。このＬＣＢケーブルは、ユニバーサルチューブ６及び可撓管１内に設けられている。
【００２１】
コネクタ７を含む内視鏡は、洗浄及び消毒をして再利用可能な構成とするために、コネクタ７は水密、気密性が高く、コネクタ７の内部構造は閉密状態となっている。このため、コネクタ７の外側には、内部構造を閉密にする筐体が設けられている。筐体及び筐体で覆われた部分をコネクタ本体部８という。
コネクタ７は、内部構造として、プロセッサ８に撮像素子から送信される画像信号をプロセッサ８に送信する前に信号処理する信号処理回路、及び内視鏡の固有情報を記録したメモリを備える。内視鏡の固有情報には、例えば、撮像素子の画素数や感度、動作可能なフレームレート、型番等が含まれる。信号処理回路は、メモリから読み出された固有情報をプロセッサ８に設けられた図示されないシステムコントローラに出力する。
すなわち、内視鏡は、生体組織を撮像する撮像素子を先端に備え、体腔内に挿入される挿入部１２と、プロセッサ２０と接続可能に設けられるコネクタ７と、を備える。コネクタ７は、撮像素子から伝送される撮像画像の信号を信号処理する電子回路である信号処理回路を備え、信号処理した撮像画像の信号をプロセッサ８に伝送する機能を有する。
【００２２】
図２は、コネクタ７とプロセッサ２０の一例を拡大して示す斜視図である。
コネクタ７は、コネクタ本体部８の他に、電気接続端部７ａと、光接続端部７ｂと、を備える。電気接続端部７ａは先端が開口した筒形状を成し、コネクタ本体部７ａから突出している。電気接続端部７ａの筒形状で囲まれた内部には、撮像素子から延びる信号線や、撮像素子等の動作を制御する制御線と接続された図示されない電気接続端子が設けられている。
光接続端部７ｂは、先端が開口した筒形状を成し、コネクタ本体部７ａから突出している。光接続端部７ｂの筒形状で囲まれた内部には、プロセッサ２０内の光源装置から照射された照明光を先端部５に伝送するＬＣＢケーブルが設けられている。光接続端部７ｂの開口には、ＬＣＢケーブルが照明光の入射を受ける開口端が設けられている。
このような電気接続端部７ａ及び光接続端部７ｂのそれぞれが、プロセッサ２０側のコネクタ受け部に接続される。
【００２３】
図２は、コネクタ７とプロセッサ２０の一例を拡大して示す斜視図である。プロセッサ２０は、電気コネクタ受け部２２ａと、光コネクタ受け部２２ｂと、操作パネル２６と、を備える。
操作パネル２６は、術者が内視鏡システムで行いたい観察や検査に対応してプロセッサ２０及び内視鏡が動作するように指示入力するためのパネルである。指示入力は、例えば、通常観察モードや特殊観察モード等のモードの切換や、生体組織を撮像素子で取得した撮像画像に施す処理内容や、図示されないモニタに画像や検査結果を表示する表示形態の指示入力を含む。
【００２４】
電気コネクタ受け部２２ａ及び光コネクタ受け部２２ｂは、電気接続端部７ａ及び光接続端部７ｂをそれぞれ受け入れる部分で、コネクタ挿入用凹部空間２４ａ,２４ｂを有する。
コネクタ挿入用凹部空間２４ａ内の奥側部分には、プロセッサ側の電気接続端子が設けられ、コネクタ挿入用凹部空間２４ｂ内の奥側部分には、光源装置の照明光の出射口が設けられている。したがって、コネクタ７の電気接続端部７ａ及び光接続端部７ｂのそれぞれがコネクタ挿入用凹部空間２４ａ，２４ｂ内の所定の位置に挿入されることにより、コネクタ側の電気接続端子とプロセッサ側の接続端子が接続され、照明光の出射口の対向する位置に、ＬＣＢケーブルの開口端が位置する。
【００２５】
すなわち、プロセッサ２０は、内視鏡側のコネクタ７の電気接続端子を受け入れて、プロセッサ２０側の電気接続端子と接続するためのコネクタ挿入用凹部空間２４ａが設けられた電気コネクタ受け部２２ａと、内視鏡側のコネクタ７の光接続端部７ｂを受け入れて、ＬＣＢケーブルの開口端をプロセッサ２０側の光源装置２０の出射口の対向する位置に配置させるためのコネクタ挿入用凹部空間２４ｂが設けられた光コネクタ受け部２２ｂと、を備える。
【００２６】
電気コネクタ受け部２２ａは、コネクタ挿入用凹部空間２４ａ内の所定の位置に挿入された電気接続端部７ａを係止して把持しコネクタ挿入用凹部空間２４ａ内の奥に設けられたプロセッサ側接続端子の位置に誘導する誘導機構２６を備える。図３は、誘導機構２６の一例を模式的に示す図である。誘導機構２６は、両端が開口した円筒管部材２８を備える。円筒管部材２８の管内に、電気接続端部７ａが挿通することができるように円筒管部材２８は構成されている。挿通する電気接続端部７ａの表面には、突起７ｃが設けられており、一方、円筒管部材２８には、突起７ｃが進入することができるスリット孔２８ａが設けられている。スリット孔２８ａに突起７ｃが進入することで、電気接続端部７ａは、円筒管部材２８により係止され把持される。スリット孔２８ａは、コネクタ挿入用凹部空間２４ａの奥行き方向Ａに延びる途中で、一方向に傾斜して延びるために屈曲した屈曲部２８ｂを有する。円筒管部材２８は、円周方向Ｃに回転するが、コネクタ挿入用凹部空間２４ａの奥行き方向Ａの移動はしないようにプロセッサ２０に固定されている。このため、円筒管部材２８が図３に示すように、円筒管部材２８の円周方向Ｃに回転することにより、突起７ｃを係止したスリット孔２６ａの傾斜に対応して突起７ｃが移動するので、円筒管部材２８が係止し把持した電気接続端部７ａは、コネクタ挿入用凹部空間２４ａの奥行き方向Ａに移動する。コネクタ挿入用凹部空間２４ａの奥側には、プロセッサ側の電気接続端子が設けられている。したがって、誘導機構２６は、コネクタ７の電気接続端部７ａを、プロセッサ側の電気接続端子に誘導する。円筒管部材２８の円周方向Ｃへの回転は、後述する操作レバー２９の操作に連動して行われる。
このように、誘導機構２６は、コネクタ挿入用凹部空間２４ａに挿入された電気接続端部７ａ内に備えるコネクタ側の電気接続端子をプロセッサ側の電気接続端子に接続させるために、コネクタ７の電気接続端部７ａを係止し把持して誘導するように構成されている。
【００２７】
プロセッサ２０は、操作レバー２９（図２参照）とシャッター３０（図４、図５（ａ），（ｂ），図６（ａ）参照）を備える。
操作レバー２９は、術者が操作するレバーであって、図４に示すように、円弧状に沿って移動させることができる。術者は、コネクタ７をプロセッサ２０に接続するとき、コネクタ７の電気接続端部７ａと光接続端部７ｂを、コネクタ挿入用凹部空間２４ａ,２４ｂ内の所定の位置、具体的には、図３に示すように、突起７ｃが、スリット孔２８ａが屈曲部２８ｂに位置するまで挿入する。
この状態で、術者が操作レバー２９を操作することにより、操作レバー２９の操作に連動して円筒管部材２８は円周方向Ｃに回転する。この円筒管部材２８の回転により、電気接続端部７ａの電気接続端子をプロセッサ側の電気接続端子と接続させることができ、光接続端部７ｂのＬＣＢの開口端を、光源装置の照明光の出射口に対向させることができる。
【００２８】
シャッター３０は、コネクタ挿入用凹部空間２４ａにおける、電気接続端部７ａの差込口を開閉可能に動作するように構成されている。シャッター３０の開閉は、操作レバー２９の操作により行われる。
すなわち、操作レバー２９は、シャッター３０の開放動作及び誘導機構２６の誘導動作を操作する。
【００２９】
図４は、操作レバー２９とシャッター３０の構成の一例を説明する図である。図４は、プロセッサ２０の内部側から壁３２を見た図である。
図５（ａ），（ｂ）は、シャッター３０が差込口３６を閉塞させた状態の例を模式的に示す図である。図５（ａ）は、プロセッサ２０の外側から壁３２を見た図であり、図５（ｂ）は、プロセッサ２０の内部から壁３２を見た図である。
図６（ａ），（ｂ）は、シャッター３０が差込口３６を開放させた状態の例を模式的に示す図である。図６（ａ）は、プロセッサ２０の外側から壁３２を見た図であり、図６（ｂ）は、プロセッサ２０の内部から壁３２を見た図である。
以下、電気コネクタ受け部２２ａの構成を、電気コネクタ受け部２２ａの動作とともに説明する。
【００３０】
操作レバー２９は、壁３２に切り欠いた円弧状のスリット３４に沿って移動することができる。
操作レバー２９は、コネクタ挿入用凹部空間２４ａの差込口３６の周り設けられた環状のレールに規制されて回転移動可能な円環状部材３８と連結部材４０を介して接続されている。円環状部材３８の円周上には、径方向外側に突出した突起４２が設けられている。
シャッター３０は、コネクタ挿入用凹部空間２４ａの差込口３６を横切るようにスライドするように構成されている。シャッター３０は、壁３２に設けられた軸４４に軸支されており、軸４４の周りに回転するように構成されている。シャッター３０には、差込口３６を閉塞する方向にシャッター３０を付勢する付勢力をシャッター３０に与えるバネ要素４６が連結されている。
【００３１】
したがって、操作レバー２９の移動によって移動する突起４２が、シャッター３０の一部（図４では、部分４８）と当接して、バネ要素４６の付勢力に抗してシャッター３０を開放させるように移動させる。図４に示すように、操作レバー２９を紙面上方に移動させることにより、シャッター３０は差込口３６を開放するように構成されている。開放された差込口３６を通して、電気接続端部７ａ上の突起７ｃが、図３に示す円筒管部材２８のスリット孔２８ａの屈曲部２８ｂに来るまで、電気接続端部７ａは挿入することができる。
電気接続端部７ａが挿入された状態で、図３に示すように円筒管部材２８が円周方向Ｃに回転するように操作レバー２９を操作することにより、電気接続端部７ａは図３に示す奥行き方向Ａに移動する、すなわち、誘導される。これにより、コネクタ７の電気接続端子をプロセッサ２０側の電気接続端子に確実に接続させることができる。このような動作は、円筒管部材２８を図３に示すように円周方向Ｃに移動させることにより行うことができるので、操作レバー２９を、図２に示す紙面下方向に移動させることにより実現する。
【００３２】
電気接続端部７ａの誘導の際、操作レバー２８は、シャッター３０の開放状態に対応する位置にないので、シャッター３０は付勢力により差込口３６を閉塞しようとするが、電気接続端部７ａがコネクタ挿入用凹部空間２４ａに挿入されているので、電気接続端部７ａにより閉塞されない。
【００３３】
コネクタ７とプロセッサ２０の接続を解除する場合、操作レバー２９を図２の紙面上方に移動させることにより、電気接続端部７ａを図３に示す奥行き方向Ａと反対側の方向に後退させることができる。これにより、突起７ｃがスリット孔２８ａの屈曲部２８ｂに来るまで電気接続端部７ａを後退させることができる。この後、術者がコネクタ７の電気接続端部７ａをコネクタ挿入用凹部空間２４ａから引き抜くことができる。このとき、操作レバー２９は、図３に示す紙面上方の位置にあるので、シャッター３０は開放状態にあるが、電気接続端部７ａをコネクタ挿入用凹部空間２４ａから引き抜くことができる。
【００３４】
このように、１つの操作レバー２９が、シャッター３０の開放動作及び誘導機構２６の誘導動作を操作する構成とするので、コネクタ７とプロセッサ２０の際、閉塞したシャッター３０の開放と電気的接続端部７ａの誘導とを操作レバー２９の操作だけで簡単に行うことができる。すなわち、上記実施形態では、コネクタ７をプロセッサ２０に接続する際のシャッター７の開閉操作と誘導機構２６の操作の操作性を向上させることができる。
【００３５】
コネクタ７は、誘導機構２６がコネクタ７の電気接続端部７ａの誘導のための電気接続端部７ａの係止あるいは係止の解除を行う第１の位置（図３に示す例では、スリット孔２８ａの屈曲部２８ｂの位置）と、コネクタ７の電気的接続端部７ａの接続を完了させる第２の位置との間を移動するように構成されている。操作レバー２９には、シャッター３０の開放とコネクタ７の電気接続端部７ａの位置を定めるための操作レバー２９の位置として、コネクタ７の電気接続端部７ａが第１の位置に位置するように、誘導機構２６を位置させる第１対応位置（例えば、図６（ａ）に示す操作レバー２９の位置）と、コネクタ７の電気接続端部７ａが第２の位置に位置するように、誘導機構２６を位置させる第２対応位置（例えば、図５（ａ）に示す操作レバー２９の位置）、及び、シャッター３０を開放状態にする開放位置と、が設けられている。このとき、第１対応位置は、開放位置と同じ位置であり、第２対応位置と異なる位置である。このような構成とすることにより、コネクタ７をプロセッサ２０に接続するとき、図６（ｂ）に示す状態でコネクタ７の電気先端部７ａをコネクタ凹部空間２４ａ内の屈曲部２８ｂまで挿入した後、図５（ａ）に示すように操作レバー２９を紙面下方に移動することにより、コネクタ側の電気接続端子を備える電気接続端部７ａをプロセッサ側の電気接続端子に誘導して確実に電気接続端子同士を接続することができる。
【００３６】
シャッター３０は、図５（ｂ），図６（ｂ）に示すように、差込口３６を横断する方向にスライドする構成（コネクタ凹部空間２４ａの奥行き方向Ａと平行な回転軸の周りに回転する構成）を備えることが、確実に差込口３６を閉塞することができるので好ましい。コネクタ凹部空間２４ａの奥行き方向Ａと直交する回転軸の周りに回転して開閉するシャッターでは、電気先端部７ａの挿入方向（奥行き方向Ａ）の力を受けてシャッターが開閉する構成になるので、シャッターに物が当たって差込口が簡単に開くので、シャッターと差込口に隙間が生じる場合もある。
【００３７】
シャッター３０は、差込口３６を閉塞する方向にシャッター３０を付勢するバネ要素４６に連結されているので、操作レバー２９を図５（ｂ）に示すように下方に移動すれば、バネ要素４６の付勢力により、差込口３６を確実に閉塞することができる。
【００３８】
操作レバー２９は、操作レバー２９の移動に伴って移動する突起４２（図４参照）を備える円環状部材３８に設けられている。操作レバー２９は、操作レバー２９の移動によって移動する突起４２が、図４に示すように、シャッター３０の部分４８と当接してシャッター３０を差込口３６を開くように移動させる。このように、簡易な構成により、シャッター３０の開閉を、操作レバー２９の操作と連動させることができる。
【００３９】
なお、電気コネクタ受け部２２ａを、第１コネクタ受け部というとき、さらに、プロセッサ２０は、内視鏡側のコネクタ７の第３接続端子を受け入れて、内視鏡用プロセッサ側の接続端子と接続するための第２コネクタ受け部を備えることも好ましい。この場合、第２のコネクタ受け部にコネクタ７が第２コネクタ受け部に接続されている場合、第１コネクタ受け部２２ａのシャッター３０は差込口３６を閉塞していることが好ましい。このような状態は、操作レバー２９を図５（ｂ）に示すように下方の位置に移動することにより容易に実現することができる。コネクタ７がプロセッサ２０の第２コネクタ受け部に接続されている場合、電気コネクタ受け部２２ａ（第１コネクタ受け部）の差込口３６を閉塞することができるので、電気接続端子が設けられるコネクタ凹部空間２４ａへの内部への水分等の浸入を防止し、電気的な安全性を確保することができる。
【００４０】
以上、本発明の電子内視鏡及び電子内視鏡システムについて詳細に説明したが、本発明の電子内視鏡及び電子内視鏡システムは上記実施形態に限定されず、本発明の主旨を逸脱しない範囲において、種々の改良や変更をしてもよいのはもちろんである。
【符号の説明】
【００４１】
１  可撓管
２  湾曲管
３  操作部
４  湾曲操作レバー
５  先端部
６  ユニバーサルチューブ
７  コネクタ
７ａ  電気接続端部
７ｂ  光接続端部
７ｃ  突起
８  コネクタ本体部
１０  連結部
１２  挿入部
２０  プロセッサ
２２ａ  電気コネクタ受け部
２２ｂ  光コネクタ受け部
２４ａ，２４ｂ  コネクタ挿入用凹部空間
２６  操作パネル
２８  円筒管部材
２８ａ  スリット孔
２８ｂ  屈曲部
２９  操作レバー
３０  シャッター
３２  壁
３４  スリット
３６  差込口
３８  円環状部材
４０  連結部材
４２  突起
４４  軸
４６  バネ要素
４８  部分
【図１】
2019058309.tif 000003
【図２】
2019058309.tif 000004
【図３】
2019058309.tif 000005
【図４】
2019058309.tif 000006
【図５】
2019058309.tif 000007
【図６】
2019058309.tif 000008